(57)【要約】      （修正有）【課題】アルコール検知器、携帯電話、スマートフォンなどの携帯端末を用いてアルコールチェックを自主的に行い、検知結果をスマートフォンアプリで判定し管理箱の電磁ロックを解錠する機能を持つ自動車の鍵が入った管理箱及びこれを用いた酒気帯び運転抑止システムを提供する。【解決手段】  アルコール検知器３０は、息を吹きかけることで、アルコールの度合いを検知してアルコール検知情報を出力し、有線または無線でスマートフォン２０に送信される。スマートフォン２０は、受信したアルコール検知情報から予め定められた値未満の場合のみ管理箱１０の電磁ロックに対し解錠指令を出し、管理箱１０の電磁ロックを解錠させて収納されている自動車の鍵を取り出せる。また、定められた値以上の場合は、解錠指令を出さず電磁ロックは解錠されず管理箱１０の中の自動車の鍵は取り出せない。【選択図】図２
0003222526.tif 000002
【実用新案登録請求の範囲】
【請求項１】
一または複数の物品を収納し、前記収納された前記一または複数の物品を管理する管理箱であって、
本体と、蓋と、前記本体と前記蓋を開閉する電磁ロックとを有し、
前記電磁ロックは、施錠機能を有し、前記施錠されている状態で前記施錠が、外部からの信号により解錠可能なように形成されていることを特徴とする管理箱。
【請求項２】
前記一または複数の物品は、自動車の鍵を含んでおり、
前記本体の内部と前記蓋の内部は、電磁波を遮蔽する部材で形成されたシールドで覆われていることを特徴とする請求項１に記載の管理箱。
【請求項３】
請求項２に記載の本体と、蓋と、シールドと、施錠機能を有し前記施錠が外部からの信号により解錠可能なように形成されており、自動車の鍵を含む一または複数の物品を収納する管理箱と、
携帯端末と、
呼気からのアルコールを検知しアルコール検知情報を前記携帯端末に送信するアルコール検知器と、を有し、
前記アルコール検知器は、呼気からのアルコールを検知し、前記検知されたアルコール検知情報を前記携帯端末に送信し、
前記携帯端末は、前記アルコール検知情報の合否を判定し、前記外部からの信号として前記管理箱の電磁ロックに対して無線で送信することを特徴とする請求項２に記載の酒気帯び運転抑止システム。
【請求項４】
前記管理箱に、前記自動車の鍵を含む一または複数の物品が収納され、前記電磁ロックが施錠された状態で、
前記アルコール検知器で、前記呼気から検知された前記アルコール検知情報は、前記携帯端末に前記無線または有線で送信され、
前記携帯端末に送信された前記アルコール検知情報は、前記携帯端末のアプリで合否判定され、結果が、前記電磁ロックに送信され、
前記アルコール検知情報が、予め定められた値以上の場合には、前記電磁ロックの施錠は解錠されず、
前記アルコール検知情報が、予め定められた値未満の場合には、前記電磁ロックの施錠は解錠されることを特徴とする請求項３に記載の酒気帯び運転抑止システム。
【請求項５】
前記携帯端末は、スマートフォンであることを特徴とする請求項４に記載の酒気帯び運転抑止システム。
【請求項６】
前記アルコール検知情報は、前記携帯端末から管理部門の情報処理装置に無線で送信されることを特徴とする請求項３から請求項５のいずれかに記載の酒気帯び運転抑止システム。
【請求項７】
前記管理箱は、さらに物理的な鍵を有しており、前記管理者が、前記物理的な鍵を管理していることを特徴とする請求項６に記載の酒気帯び運転抑止システム。
【請求項８】
前記携帯端末から前記管理部門の情報処理装置に送信された前記アルコール検知情報が、前記予め定められた値以上であって、前記携帯端末では、前記電磁特ロックが解錠できない場合において、前記管理部門の管理者が前記物理的な鍵で前記管理箱を解錠し、代替運転をさせることを可能にし、業務の遅滞を最小限に留めることを特徴とする請求項７に記載の酒気帯び運転抑止システム。
【考案の詳細な説明】
【技術分野】
【０００１】
本考案は、管理箱及び酒気帯び運転抑止システムに関する。
【背景技術】
【０００２】
現在の点呼システムはドライバーがアルコールチェック後、対面する運行管理者が基準値内である事を確認後、車両の鍵等を授受しており、電話、インターネットなどによる遠隔地点呼も可能になっている。また、電子鍵の送信機となる携帯端末内で認証、酒気判定の処理をクローズドに行うことにより、車両鍵の登録者本人であり、かつ運転不適な酒気状態で無い場合のみ車両の鍵操作を可能とする車両電子鍵制御システムが開示されている。
【先行技術文献】
【特許文献】
【０００３】
【特許文献１】特開２００８−２９７７２１
【考案の概要】
【考案が解決しようとする課題】
【０００４】
上記の従来の技術において、電話、インターネットなどによる遠隔地点呼が可能になっているが、これらについては対面ということでなく、仕組みの上で脆弱性があり、例えば、点呼業務、遠隔地点呼について問題となっていた。例えば、トラック、タクシー業界では法的義務である点呼業務にアルコールチェックが含まれ自前車庫からの出庫についての始業点呼は徹底管理されているものの、出張時とか、協力会社からの出庫時の物理的に離れている遠隔地からの点呼については電話点呼とか、ＩＴ利用の点呼の仕組みはあるが、ドライバーは車両鍵を持っているため、アルコールチェック結果が基準値外であっても無視して業務に従事する可能性があり、仕組みの脆弱性は否めない現状があった。また、公的機関、園児・高齢者など白ナンバーでの送迎車を運用している保有車５台未満の法的規制外の現場にも運転の安全性が求められ自主的な点呼が必要であるという問題があった。
【０００５】
上記のとおり、アルコールチェックを含む自主的な管理ができないという問題があり、例えば、アルコールチェックをした結果をスマートフォンに送信可能な検知器と、始業セット管理箱といえる管理箱を利用し、アルコール検知結果が基準値内であればスマートフォンで管理箱の鍵を開錠し始業を可能とさせ、同時に本部運行管理者等に結果を送信し、結果を共有することができるものが求められていた。
【０００６】
そこで本考案は、このような課題を解決するためになされたもので、アルコール検知器、携帯電話、スマートフォンなどの携帯端末を用いてアルコールチェックを自主的に行い、検知結果をスマートフォンアプリで判定し管理箱の電磁ロックを解錠する機能を持つ自動車の鍵が入った管理箱及びこれを用いた酒気帯び運転抑止システムを提供することである。
【課題を解決するための手段】
【０００７】
上記課題を解決するために、本考案に係る管理箱は、一または複数の物品を収納し、前記収納された前記一または複数の物品を管理する管理箱であって、本体と、蓋と、前記本体と前記蓋を開閉する電磁ロックとを有し、前記電磁ロックは、施錠機能を有し、前記施錠されている状態で前記施錠が、外部からの信号により解錠可能なように形成されていることを特徴とする。
【０００８】
本考案に係る管理箱の態様について、前記一または複数の物品は、自動車の鍵を含んでおり、前記本体の内部と前記蓋の内部は、電磁波を遮蔽する部材で形成されたシールドで覆われていることが好ましい。
【０００９】
上記課題を解決するために、本考案に係る酒気帯び運転抑止システムは、上記の本体と、蓋と、シールドと、施錠機能を有し前記施錠が外部からの信号により解錠可能なように形成されており、自動車の鍵を含む一または複数の物品を収納する管理箱と、携帯端末と、呼気からのアルコールを検知しアルコール検知情報を前記携帯端末に送信するアルコール検知器と、を有し、前記アルコール検知器は、呼気からのアルコールを検知し、前記検知されたアルコール検知情報を前記携帯端末に送信し、前記携帯端末は、前記アルコール検知情報を、前記外部からの信号として前記管理箱の電磁ロックに対して無線で送信することを特徴とする。
【００１０】
本考案に係る酒気帯び運転抑止システムの態様について、前記管理箱に、前記自動車の鍵を含む一または複数の物品が収納され、前記電磁ロックが施錠された状態で、前記アルコール検知器で、前記呼気から検知された前記アルコール検知情報は、前記携帯端末に無線または有線で送信され、前記携帯端末に送信された前記アルコール検知情報の判定結果が、予め定められた値未満の場合のみ管理箱の電磁ロックに対し解錠指令を出し、管理箱の電磁ロックを解錠させて収納されている自動車の鍵を取り出し、また定められた値以上の場合は、解錠指令を出さず電磁ロックは解錠されず、管理箱の中の自動車の鍵は取り出せないシステムであることを特徴とする。
【００１１】
本考案に係る酒気帯び運転抑止システムの態様について、前記携帯端末は、スマートフォンであることが好ましい。
【００１２】
本考案に係る酒気帯び運転抑止システムの態様について、前記アルコール検知情報は、前記携帯端末から管理部門の情報処理装置に無線で送信されることが好ましい。前記管理箱は、物理的な鍵を有しており、前記管理者が、前記物理的な鍵を管理していることが好ましい。また、前記携帯端末から前記管理部門の情報処理装置に送信された前記アルコール検知情報が、前記予め定められた値以上であって、前記携帯端末では、前記電磁特ロックが解錠できない場合において、前記管理部門の管理者が前記物理的な鍵で前記管理箱を解錠し、代替運転をさせることを可能にし、業務の遅滞を最小限に留めることが好ましい。
【考案の効果】
【００１３】
本考案によれば、アルコール検知器、携帯電話、スマートフォンなどの携帯端末を用いてアルコールチェックを自主的に行い、アルコール検知器の情報をスマートフォンアプリで基準値を判定、基準値外であれば、管理箱の蓋が開かず、収納されている自動車の鍵が取れず、始業ができないシステムとなる、管理箱及びこれを用いた酒気帯び運転抑止システムを提供することができる。
【図面の簡単な説明】
【００１４】
【図１】実施形態の管理箱の一例を示す模式図である。
【図２】実用新案の酒気帯び運転抑止システムの一例を示す模式図である。
【考案を実施するための形態】
【００１５】
以下、実施形態の管理箱１０及びこれを用いた酒気帯び運転抑止システム１００について図１及び図２を用いて説明する。図１（ａ）は、管理箱１０の本体１０ａと蓋１０ｂが、電磁ロック１０ｃで施錠されている状態を示している。図１（ｂ）は、管理箱１０の本体１０ａと蓋１０ｂが、電磁ロック１０ｃの解錠により開いており、本体１０ａの内部に収納されている自動車の鍵Ｋなどを取り出すことができる状態を示しており、また、本体１０ａ及び蓋１０ｂの内部は、外部からの電磁波を遮蔽するシールド１０ｄで覆われていることを示している。また、図２は、管理箱１０を用いて酒気帯び運転抑止システム１００の一例を示している。
【００１６】
まず、管理箱１０について説明する。
【００１７】
管理箱１０は、始業セット管理箱としても用いることができるものであり、一または複数の物品を収納して管理することができるように形成されている。管理箱１０は、本体１０ａと蓋１０ｂを有し、本体１０ａと蓋１０ｂを開閉する電磁ロック１０ｃを有している。
【００１８】
電磁ロック１０ｃは、施錠機能を有し、施錠されている状態でこの施錠が、外部からの信号により解錠可能なように形成されている。この施錠機能は、例えば非接触式電磁ロックであり、外部からの信号、例えば、携帯電話、スマートフォンなどの携帯端末からの信号で解錠できるものである。この信号は，例えば、ＮＦＣ（Ｎｅａｒ  Ｆｉｅｌｄ  Ｃｏｍｍｕｎｉｃａｔｉｏ）であり、触れるか触れないかという至近距離で通信を行うものである。
【００１９】
この例においては、上記の一または複数の物品は、自動車の鍵を含んでおり、後述するようにこの管理箱１０は、自己点呼が可能なように酒気帯び運転を抑止するための始業セット管理箱として用いるためのものでもある。なお、一または複数の物品は、給油カード、ＥＴＣカード、名札などがあるが適宜最適な物品を選択することができる。
【００２０】
管理箱１０に収納し管理する物品は、この例において、自動車の鍵が含まれており、機械的な鍵を使用せずにエンジンの始動などが可能なスマートキーの場合にも対応できるように、管理箱１０の本体１０ａと蓋１０ｂの内部には電磁波を遮蔽する部材で形成されたシールド１０ｄで覆われていることが望ましい。このシールド１０ｄは、例えば、薄膜ＰＥＴフィルムの表面に銅を真空蒸着してシールド層を形成したものである。
【００２１】
次に、管理箱１０を始業セット管理箱として用いた酒気帯び運転抑止システム１００について説明する。
【００２２】
酒気帯び運転抑止システム１００は、本体１０ａと蓋１０ｂと施錠機能で電磁ロック１０ｃとシールド１０ｄを有し電磁ロック１０ｃによる施錠が外部からの信号により解錠可能なように形成されている管理箱１０と、携帯端末の一例であるスマートフォン２０と、アルコール検知器３０を有している。
【００２３】
管理箱１０は、上記のとおり自動車の鍵を含む一または複数の物品、例えば、給油カード、ＥＴＣカード、名札などを収納し管理するものである。アルコール検知器３０は、呼気からのアルコールを検知し、この検知されたアルコール検知情報を携帯端末の一例であるスマートフォン２０に送信するものである。スマートフォン２０は、アルコール検知情報を、外部からの信号として管理箱１０の電磁ロックに対して無線、例えばＮＦＣの技術を用いて送信する。
【００２４】
以下、酒気帯び運転抑止システム１００の使用の一例を説明する。自動車の鍵Ｋを含む一または複数の物品が収納され、電磁ロック１０ｃが施錠された状態の管理箱１０から、自動車を運転するために、自動車の鍵Ｋ、ＥＴＣカードなどが収納されている管理箱１０を解錠してこれらを取得したい場合、まず、アルコール検知器３０で酒気帯びか否か検査する。
【００２５】
アルコール検知器３０は、息を吹きかけることで、アルコールの度合いを検知して表示し且つアルコール検知情報を出力し、この出力されたアルコール検知情報は、有線または無線でスマートフォン２０に送信される。なお、スマートフォン２０とアルコール検知器３０の接続方法は有線ケーブルを用いた接続、既存の技術であるBluetooth（登録商標）を用いた無線接続、赤外線接続など適宜最適な方法を用いるとよい。また、アルコール検知器３０については、一般的な周知技術であり詳細な説明は省略する。
【００２６】
次に、スマートフォン２０を管理箱１０の電磁ロック１０ｃに触れるか触れないかという至近距離に近づけることにより、スマートフォン２０は、スマートフォン２０のアプリ、つまりスマートフォン２０のＯＳ上で起動するアプリケーションソフトウェアでアルコール検知器からの検知情報より基準値を判定し、結果が基準値内の場合のみ電磁ロック１０ｃへ開錠の信号を出し、電磁ロック１０ｃの施錠が解錠されるような構成となっている。また、基準値外であればスマートフォン２０は電磁ロック１０ｃに開錠の信号は出さず、管理箱の蓋が開かず、収納されている自動車の鍵Ｋが取れなく、始業ができないような構成となっている。
【００２７】
また、スマートフォン２０に記憶されているアルコール検知情報は、無線、例えば、インターネットを介して管理部門の情報処理装置に送信されるような構成にしてもよい。このような構成において、管理箱１０は、物理的な鍵、つまり物理的な鍵で施錠及び解錠することができる構成であり、この例において、物理的な鍵は、上記の管理者に管理されており、スマートフォン２０から管理部門の情報処理装置に送信されたアルコール検知情報が、予め定められた値以上であり、スマートフォン２０では、電磁ロック１０ｃが解錠できない場合において、管理部門の管理者が、物理的な鍵で管理箱を解錠し、例えば、代わりの人に代替運転をさせることを可能にし、業務の遅滞を最小限に留めることができる。
【００２８】
上記のこの考案は、研究に研究を重ねて作り上げたものであり、持ち運び可能であり点呼場所を選ぶ必要のない始業セット管理箱としての管理箱１０を開発し、この管理箱１０を用いた酒気帯び運転抑止システム１００を構築したものである。また、この管理箱１０を用いた酒気帯び運転抑止システム１００は、管理箱１０の開錠を、スマートフォン２０などのシステムで行うことより、より安心、安全、確実な点呼システムとすることができ、遠隔地点呼の見える化も同時に実現することができるものである。従来のシステムでも遠隔地点呼は可能であったが、車両の鍵はドライバーが持っている為、アルコールチェックが基準値以上であっても運転ができる可能性があり遠隔地点呼システムとして脆弱性を有していた。このような脆弱性に対して、本考案の酒気帯び運転抑止システム１００は、管理箱１０に収納されている自動車の鍵は、アルコールが基準値以上であれば解錠されないことより、遠隔地であっても、より厳格な点呼システムとすることができる。また、点呼が自主管理で行うことができることより、例えば、白ナンバードライバーへの管理に適用することが可能なものとなっている。さらに、アルコール検知器でのチェック時にスマートフォン２０のカメラで顔写真、運転免許証などを撮影することにより、なりすましも防止することができる。
【００２９】
上記の本考案の酒気帯び運転抑止システム１００の特徴は、整理すると、自主点呼が必要な安心・安全・正確性が求められる運転現場、例えば、業務用車両での遠隔地点呼現場、個人タクシー等の組織化しにくい運転現場、国・地方自治体等の白ナンバー所有車の運転現場、幼・保育園児、ディサービスなどの白ナンバーで人員輸送の運転現場、スポーツクラブ、ゴルフクラブ、保養施設等、送迎バスの運転現場、大手会社地方支店、営業所の社有車・社有看板車の運転現場、コンビニ、宅配ピザなどの三輪バイクや自転車の運転現場などにおいて適用することができる優れたものである。
【００３０】
さらに、近年、益々強化されるコーポレートガバナンス上、業務用緑ナンバー車はもとより、業務用・自家用問わず白ナンバーの営業車においても、如何なる組織、団体問わず、酒気帯び運転の防止は必須の課題である。また、白ナンバーにおける現場は、運転前のアルコールチェックは保有台数５台以下について法的に規制されてないが、ガバナンスの点から考えると少なくても自主的なルールなどを有していないと、万が一の事故の時に大きな問題となる可能性を秘めている。このように酒気帯び運転の防止は、自社への効果はもとより、社会的な必要性を有しており、本考案による遠隔地及び自主点呼システムによる改善は、アルコール検知器の情報をスマートフォンアプリで基準値を判定し、基準値外であれば、管理箱の蓋が開かず、収納されている自動車の鍵Ｋが取れず、始業ができないシステムとなっている。さらに、本考案によると、業務用緑ナンバーの点呼システムにおいても、個人タクシー、赤帽などの独立系事業主、出張時遠隔地点呼、自社車庫外から直行する場合の点呼などルールの脆弱性が考えられる部分を補完することができ、また、白ナンバーの自主点呼においても、上記のとおり、より確実な安全性を確保することができるという顕著な効果を有している。
【００３１】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００３２】
また、本考案の管理箱の大きさや形状、素材の材質、厚さ、重さなどについては多様な実施形態が可能であり、また、酒気帯び運転抑止システムについても多様な実施形態が可能であり、本実施形態と異なる形態による実施は、本考案の技術的範囲に含まれる。
【符号の説明】
【００３３】
１００  酒気帯び運転抑止システム
１０    管理箱
１０ａ  本体
１０ｂ  蓋
１０ｃ  電磁ロック
１０ｄ  シールド
Ｋ      鍵
【図１】
0003222526.tif 000003
【図２】
0003222526.tif 000004
【手続補正書】
【提出日】令和1年6月4日(2019.6.4)
【手続補正１】
【補正対象書類名】実用新案登録請求の範囲
【補正対象項目名】全文
【補正方法】変更
【補正の内容】
【実用新案登録請求の範囲】
【請求項１】
一または複数の物品を収納し、前記収納された前記一または複数の物品を管理する管理箱であって、
本体と、蓋と、前記本体と前記蓋を開閉する電磁ロックとを有し、
前記電磁ロックは、施錠機能を有し、前記施錠されている状態で前記施錠が、外部からの信号により解錠可能なように形成されていることを特徴とする管理箱。
【請求項２】
前記一または複数の物品は、自動車の鍵を含んでおり、
前記本体の内部と前記蓋の内部は、電磁波を遮蔽する部材で形成されたシールドで覆われていることを特徴とする請求項１に記載の管理箱。
【請求項３】
請求項２に記載の本体と、蓋と、シールドと、施錠機能を有し前記施錠が外部からの信号により解錠可能なように形成されており、自動車の鍵を含む一または複数の物品を収納する管理箱と、
携帯端末と、
呼気からのアルコールを検知しアルコール検知情報を前記携帯端末に送信するアルコール検知器と、を有し、
前記アルコール検知器は、呼気からのアルコールを検知し、前記検知されたアルコール検知情報を前記携帯端末に送信し、
前記携帯端末は、前記アルコール検知情報の合否を判定し、前記外部からの信号として前記管理箱の電磁ロックに対して無線で送信することを特徴とする請求項２に記載の酒気帯び運転抑止システム。
【請求項４】
前記管理箱に、前記自動車の鍵を含む一または複数の物品が収納され、前記電磁ロックが施錠された状態で、
前記アルコール検知器で、前記呼気から検知された前記アルコール検知情報は、前記携帯端末に前記無線または有線で送信され、
前記携帯端末に送信された前記アルコール検知情報は、前記携帯端末のアプリで合否判定され、結果が、前記電磁ロックに送信され、
前記アルコール検知情報が、予め定められた値以上の場合には、前記電磁ロックの施錠は解錠されず、
前記アルコール検知情報が、予め定められた値未満の場合には、前記電磁ロックの施錠は解錠されることを特徴とする請求項３に記載の酒気帯び運転抑止システム。
【請求項５】
前記携帯端末は、スマートフォンであることを特徴とする請求項４に記載の酒気帯び運転抑止システム。
【請求項６】
前記アルコール検知情報は、前記携帯端末から管理部門の情報処理装置に無線で送信されることを特徴とする請求項３から請求項５のいずれかに記載の酒気帯び運転抑止システム。
【請求項７】
前記管理箱は、さらに物理的な鍵を有しており、前記管理者が、前記物理的な鍵を管理していることを特徴とする請求項６に記載の酒気帯び運転抑止システム。
【請求項８】
前記携帯端末から前記管理部門の情報処理装置に送信された前記アルコール検知情報が、前記予め定められた値以上であって、前記携帯端末では、前記電磁ロックが解錠できない場合において、前記管理部門の管理者が前記物理的な鍵で前記管理箱を解錠し、代替運転をさせることを可能にし、業務の遅滞を最小限に留めることを特徴とする請求項７に記載の酒気帯び運転抑止システム。